(57)【要約】【課題】エンジンを低・中出力で運転させて作業を行っているときに、エンジンの出力を一時的に高め、かつ、速やかに元の状態での作業に戻ることを可能とするスロットル操作装置を提供する。【解決手段】スロットル操作装置１００は、スロットルレバー１３０が所定の操作位置に操作されたときのケーブル引張部材１４０の回動量を変化させてスロットルレバー１３０が前記所定の操作位置に操作されたときのケーブル引張部材１４０よるスロットルケーブル１２０の引っ張り量を調整する調整機構１５０と、スロットルレバー１３０が前記所定の操作位置に操作され、かつ、ケーブル引張部材１４０によるスロットルケーブル１２０の引っ張り量が調整機構１５０によって制限されているときに操作されると、スロットルケーブル１２０を引っ張る方向にケーブル引張部材１４０を回動させるサブレバー１６０と、を含む。【選択図】図４
2019044696.tif 000002
【特許請求の範囲】
【請求項１】
エンジンを駆動源とする携帯型作業機に用いられたスロットル操作装置であって、
使用者によって操作されるスロットルレバーと、
一端が前記エンジンのスロットルバルブに連結されたスロットルケーブルと、
回動自在に設けられると共に前記スロットルケーブルの他端が固定され、前記使用者によって操作された前記スロットルレバーに連動して回動することによって前記スロットルケーブルを引っ張って前記スロットルバルブの開度を増加させるケーブル引張部材と、
前記使用者によって操作されると共に任意の操作位置で保持される操作部材と、前記ケーブル引張部材を回動自在に支持する支持部と、を含み、前記操作部材の操作位置に応じて前記支持部が変位することによって前記ケーブル引張部材を変位させ、これによって、前記スロットルレバーが所定の操作位置に操作されたときの前記ケーブル引張部材の回動量を変化させて前記スロットルレバーが前記所定の操作位置に操作されたときの前記ケーブル引張部材による前記スロットルケーブルの引っ張り量を調整する調整機構と、
前記使用者によって操作されるサブレバーであって、前記スロットルレバーが前記所定の操作位置に操作され、かつ、前記スロットルレバーが前記所定の操作位置に操作されたときの前記ケーブル引張部材による前記スロットルケーブルの引っ張り量が前記調整機構によって制限されているときに前記使用者によって操作されると、前記調整機構の前記支持部を前記操作部材に対して相対変位させ、これによって、前記ケーブル引張部材を変位させると共に前記スロットルレバーを利用して前記スロットルケーブルを引っ張る方向に前記ケーブル引張部材を回動させる前記サブレバーと、
を含む、スロットル操作装置。
【請求項２】
前記ケーブル引張部材は、前記使用者によって操作された前記スロットルレバーに押圧されて回動し、
前記調整機構は、前記ケーブル引張部材を変位させて前記ケーブル引張部材を押圧する前記スロットルレバーの押圧部位を変更することによって前記スロットルレバーが前記所定の操作位置に操作されたときの前記ケーブル引張部材の回動量を変化させる、請求項１に記載のスロットル操作装置。
【請求項３】
前記調整機構は、前記スロットルレバーが前記所定の操作位置に操作されているときに前記操作部材が前記使用者によって操作されると、前記支持部が変位することによって前記ケーブル引張部材を変位させると共に前記スロットルレバーを利用して前記ケーブル引張部材を回動させて前記スロットルレバーが前記所定の操作位置に操作されたときの前記ケーブル引張部材による前記スロットルケーブルの引っ張り量を増減する、請求項１又は２に記載のスロットル操作装置。
【請求項４】
前記ケーブル引張部材は、前記スロットルレバーに形成された凹部に収容される突起部を有し、前記スロットルレバーが前記使用者によって操作されると、前記突起部が前記凹部の内周面の所定部位に押圧されて前記スロットルケーブルを引っ張る方向に回動する、請求項１〜３のいずれか一つに記載のスロットル操作装置。
【請求項５】
前記ケーブル引張部材は、前記スロットルレバーが前記所定の操作位置に操作されているときに前記調整機構の前記操作部材が前記使用者によって操作されると、前記支持部の変位に伴って前記突起部が前記凹部の前記内周面に沿って移動するように変位することによって前記スロットルケーブルを引っ張る方向又は前記スロットルケーブルの引っ張りを緩める方向に回動する、請求項４に記載のスロットル操作装置。
【請求項６】
前記ケーブル引張部材は、前記使用者による前記サブレバーの操作によって前記調整機構の前記支持部が前記操作部材に対して相対変位すると、前記突起部が前記凹部の前記内周面に沿って移動するように変位することによって前記スロットルケーブルを引っ張る方向に回動する、請求項４又は５に記載のスロットル操作装置。
【請求項７】
前記調整機構は、
所定の軸線回りに回動可能に設けられた前記操作部材としての操作レバーと、
前記支持部を有すると共に前記所定の軸線回りに回動可能に設けられたアーム部材と、
前記操作レバーと前記アーム部材とを連結すると共に前記操作レバーに対して前記アーム部材を所定の姿勢に付勢する連結部材と、を含み、
前記操作レバーが操作されると前記所定の姿勢の前記アーム部材が前記操作レバーと一体的に回動して前記支持部が変位する一方、前記アーム部材が前記連結部材の付勢力に抗して押圧されると前記操作レバーに対する前記アーム部材の姿勢が変化して前記支持部が前記操作レバーに対して相対変位するように構成され、
前記サブレバーは、前記使用者によって操作されたときに前記連結部材の付勢力に抗して前記アーム部材を押圧する押圧部を有する、
請求項１〜６のいずれか一つに記載のスロットル操作装置。
【請求項８】
前記サブレバーは、前記使用者によってその最大操作位置に操作されることによって前記スロットルケーブルを最大に引っ張る状態まで前記ケーブル引張部材を回動させる、請求項１〜７のいずれか一つに記載のスロットル操作装置。
【請求項９】
駆動源としてのエンジンと、
請求項１〜８のいずれか一つに記載のスロットル操作装置と、
を含む、携帯型作業機。
【発明の詳細な説明】
【技術分野】
【０００１】
本発明は、エンジンの出力を調整するスロットル操作装置に関し、特にエンジンを駆動源とする携帯型作業機に用いて好適なスロットル操作装置に関する。
【背景技術】
【０００２】
この種のスロットル操作装置を有する携帯型作業機の一例として特許文献１に記載された携帯型エンジン作業機が知られている。特許文献１に記載された携帯型エンジン作業機において、スロットル操作装置としての出力調整装置は、使用者が把持するグリップの前方に設けられて、エンジンのスロットルバルブに連結されたスロットルケーブルを引っ張るために操作されるスロットルレバーと、所定の操作量のスロットルレバーの操作によって引っ張られるスロットルケーブルの引っ張り量を調整してスロットルバルブの開度を調整するバルブ開度調整機構と、を備えている。
【０００３】
特許文献１に記載された携帯型エンジン作業機においては、例えばエンジンを低・中出力で運転して作業を行う場合であっても、使用者は、前記バルブ開度調整機構を利用することによって、前記スロットレバーを前記グリップと一緒に把持した状態、換言すれば、前記スロットルレバーを最大操作位置に操作した状態で作業を行うことができる。このため、使用者は、前記スロットルレバーを中間操作位置に保持する必要がなく、良好な作業性が得られる。
【先行技術文献】
【特許文献】
【０００４】
【特許文献１】特開２０１５−０８６８１９号公報
【発明の概要】
【発明が解決しようとする課題】
【０００５】
しかし、上述の携帯型エンジン作業機においては、前記スロットレバーを前記グリップと一緒に把持した状態で前記エンジンを低・中出力で運転して作業を行っているときに一時的に負荷の高い作業を行う必要が生じた場合、使用者は、前記バルブ開度調整機構の設定を解除又は変更しなければならない。このため、前記負荷の高い作業の終了後に元の状態での作業に速やかに戻ることができず、前記元の作業を継続する場合、使用者は、前記バルブ開度調整機構を再度設定しなければならない。
【０００６】
そこで、本発明は、エンジンを低・中出力で運転して作業を行っているときに、エンジンの出力を一時的に高め、かつ、速やかに元の状態での作業に戻ることを可能とするスロットル操作装置を提供することを目的とする。
【課題を解決するための手段】
【０００７】
本発明の一側面によると、エンジンを駆動源とする携帯型作業機に用いられるスロットル操作装置が提供される。前記スロットル操作装置は、使用者によって操作されるスロットルレバーと、一端が前記エンジンのスロットルバルブに連結されたスロットルケーブルと、回動自在に設けられると共に前記スロットルケーブルの他端が固定され、前記スロットルレバーに連動して回動することによって前記スロットルケーブルを引っ張って前記スロットルバルブの開度を増加させるケーブル引張部材と、前記使用者によって操作されると共に任意の操作位置で保持される操作部材と、前記ケーブル引張部材を回動自在に支持する支持部と、を含み、前記操作部材の操作位置に応じて前記支持部が変位することによって前記ケーブル引張部材を変位させ、これによって、前記スロットルレバーが所定の操作位置に操作されたときの前記ケーブル引張部材の回動量を変化させて前記スロットルレバーが前記所定の操作位置に操作されたときの前記ケーブル引張部材による前記スロットルケーブルの引っ張り量を調整する調整機構と、前記使用者によって操作されるサブレバーであって、前記スロットルレバーが前記所定の操作位置に操作され、かつ、前記スロットルレバーが前記所定の操作位置に操作されたときの前記ケーブル引張部材による前記スロットルケーブルの引っ張り量が前記調整機構によって制限されているときに前記使用者によって回動操作されると、前記調整機構の前記支持部を前記操作部材に対して相対変位させ、これによって、前記ケーブル引張部材を変位させると共に前記スロットルレバーを利用して前記スロットルケーブルを引っ張る方向に前記ケーブル引張部材を回動させる前記サブレバーと、を含む。
【発明の効果】
【０００８】
前記スロットル操作装置によると、使用者は、前記調整機構を利用して前記スロットルレバーを前記所定の操作位置（例えば、最大操作位置）に操作して前記エンジンを低・中出力で運転して作業を行っているときに、前記サブレバーを操作することで前記エンジンの出力を一時的に高めて作業を行うことができ、その後、前記サブレバーの操作を解除することによって速やかに元の状態での作業に戻ることができる。
【図面の簡単な説明】
【０００９】
【図１】本発明が適用された携帯型作業機の一実施形態である刈払機の外観を示す図である。
【図２】前記刈払機の動力ユニットを後部側から見た状態を示す図である。
【図３】前記刈払機のスロットル操作装置の斜視図である。
【図４】前記スロットル操作装置の内部構造を示す図である。
【図５】図４のＸ−Ｘ断面図である。
【図６】図５のＹ−Ｙ断面図である。
【図７】前記スロットル操作装置の調整機構の作用を説明するための図である。
【図８】前記スロットル操作装置の操作例を説明するための図である。
【図９】前記スロットル操作装置の操作例を説明するための図である。
【図１０】前記スロットル操作装置の操作例を説明するための図である。
【図１１】前記スロットル操作装置の操作例を説明するための図である。
【図１２】前記スロットル操作装置の操作例を説明するための図である。
【発明を実施するための形態】
【００１０】
以下、添付図面を参照して本発明の実施の形態を説明する。
図１は、本発明が適用された携帯型作業機の一実施形態である刈払機の外観を示す図である。図１に示されるように、実施形態に係る刈払機１は、操作棹２と、動力ユニット３と、作業部４と、ハンドル部５と、グリップ部６と、を有する。なお、以下の説明においては、作業部４がある側を刈払機１の「前側」とし、動力ユニット３がある側を刈払機１の「後側」とする。
【００１１】
操作棹２は、前後方向に直線状に延びており、中空パイプ形状を有している。動力ユニット３は、刈払機１の駆動源（原動機）としてのエンジン３１（後述する）を含み、操作棹２の後端部に設けられている。作業部４は、ギヤヘッド４１及び刈刃４２を含み、操作棹２の前端部に設けられている。また、操作棹２の内部には、図示省略のドライブシャフトが収容されている。前記ドライブシャフトの一端は、動力ユニット３のエンジン３１の出力軸に連結され、前記ドライブシャフトの他端は、作業部４のギヤヘッド４１に連結されている。前記ドライブシャフトは、エンジン３１の出力をギヤヘッド４１に伝達して刈刃４２を回転させる。
【００１２】
ハンドル部５は、操作棹２の長さ方向の中間部に設けられている。グリップ部６は、操作棹２におけるハンドル部５と動力ユニット３との間の位置に設けられている。ハンドル部５及びグリップ部６は、刈払機１の使用者が把持する部位である。使用者は、通常、左手でハンドル部５を把持し、右手でグリップ部６を把持して刈払機１を使用する（すなわち、刈払い作業を行う）。
【００１３】
図２は、動力ユニット３を後部側から見た状態を示している。図２に示されるように、動力ユニット３は、刈払機１の駆動源（原動機）としてのエンジン３１と、エンジン３１に吸入される空気を通過させるエアクリーナ３２と、燃料を貯留する燃料タンク３３と、エンジン３１を始動させる際に用いるリコイルスタータ３４と、エンジン３１の燃焼ガス（排気ガス）を通過させる排気マフラ３５と、を含む。
【００１４】
エンジン３１には気化器（キャブレター）３６及び点火プラグ（図示省略）が設けられている。気化器３６は、エアクリーナ３２を通過した空気に燃料タンク３３から導かれた燃料を混合して混合気を形成する。気化器３６で形成された混合気は、エンジン３１に供給され、前記点火プラグによって点火されて燃焼する。燃焼ガスは排気マフラ３５を介して大気中に放出される。
【００１５】
気化器３６は、図２中に破線で示すようにスロットルバルブＴＨＶを内蔵している。スロットルバルブＴＨＶは、図示省略の付勢部材によって、閉方向に、すなわち、最小開度（アイドル回転開度）に常時付勢されている。
【００１６】
本実施形態において、グリップ部６の前側には、スロットルバルブＴＨＶの開度を調整するためのスロットル操作装置１００が設けられている（図１参照）。使用者は、グリップ部６を把持する右手でスロットル操作装置１００を操作し、これによって、スロットルバルブＴＨＶの開度を調整してエンジン３１の出力（回転数）を調整することができる。
【００１７】
次に、図３〜図６を参照してスロットル操作装置１００の構成を説明する。
図３は、スロットル操作装置１００の斜視図であり、図４は、スロットル操作装置１００の内部構造を示す図であり、図５は、図４のＸ−Ｘ断面図であり、図６は、図５のＹ−Ｙ断面図である。
【００１８】
図３〜図６に示されるように、本実施形態において、スロットル操作装置１００は、ハウジング１１０と、スロットルケーブル１２０と、スロットルレバー１３０と、ケーブル引張部材１４０と、調整機構１５０と、サブレバー１６０と、を含む。
【００１９】
ハウジング１１０は、操作棹２を挟む一対のハウジング部材、すなわち、左側ハウジング部材１１０ａ及び右側ハウジング部材１１０ｂを有し、これらが操作棹２を挟んで互いに接合されて形成されている（図３参照）。
【００２０】
スロットルケーブル１２０は、いわゆるボーデンケーブルのインナーケーブルで構成されている。スロットルケーブル１２０は、操作棹２の下部側に沿って配設されたアウターチューブ１２１内に挿通されている。アウターチューブ１２１の前端部１２１ａは、ハウジング１１０内における後側（グリップ部６側）の所定位置に固定されている（図４参照）。スロットルケーブル１２０の一端（後端）は、スロットルバルブＴＨＶに連結されており、スロットルケーブル１２０の他端（前端）１２０ａは、ケーブル引張部材１４０に固定されている。
【００２１】
スロットルレバー１３０は、操作棹２の下側に配置されている。スロットルレバー１３０は、ハウジング１１０内に設けられた第１軸部１１１（図６参照）に回動自在に支持されている。第１軸部１１１は、例えば、左側ハウジング部材１１０ａの内壁に立設されている。スロットルレバー１３０は、スロットルケーブル１２０を引っ張ってスロットルバルブＴＨＶの開度を増加させるために、使用者によって第１軸部１１１（の軸線）回りに回動操作される。
【００２２】
本実施形態において、スロットルレバー１３０は、操作部１３１と、操作力伝達部１３２と、を有する。
【００２３】
操作部１３１は、主に使用者がグリップ部６と一緒に右手で把持する部位である。操作部１３１は、ハウジング１１０から突出してグリップ部６の下側を後方に向かって延びている。スロットルレバー１３０は、使用者がグリップ部６と一緒に把持することにより、図４及び図６に示される初期位置から操作部１３１がグリップ部６の下部に当接する最大操作位置に回動操作されるように構成されている。
【００２４】
操作力伝達部１３２は、使用者が操作部１３１を介してスロットルレバー１３０を回動操作したときにその操作力をケーブル引張部材１４０に伝達する部位である。本実施形態において、操作力伝達部１３２には、ケーブル引張部材１４０に突設されたピン部材１４１（後述する）を収容する凹部１３３が形成されている（図６参照）。操作力伝達部１３２は、操作部１３１を介した使用者の操作によってスロットルレバー１３０が第１軸部１１１（の軸線）回りに回動すると、凹部１３３の内周面（ここでは、後側内周面１３４）の所定部位がケーブル引張部材１４０のピン部材１４１を押圧することで使用者のスロットルレバー１３０の操作力をケーブル引張部材１４０に伝達する。なお、本実施形態において、凹部１３３の後側内周面１３４は、図６に示されるように、凹部１３３の上部から下部に向かって従って後方に傾斜して形成されている。
【００２５】
また、スロットルレバー１３０は、付勢部材（圧縮バネ）１０１によって前記初期位置に常時付勢されている。したがって、使用者が操作部１３１から手（又は指）を離すと、すなわち、スロットルレバー１３０を解放すると、スロットルレバー１３０は、付勢部材１０１の付勢力によって前記初期位置に戻るようになっている。
【００２６】
ケーブル引張部材１４０は、回動自在に設けられている。また、ケーブル引張部材１４０には、スロットルケーブル１２０の他端１２０ａが固定されている。ケーブル引張部材１４０は、スロットルレバー１３０に連動して回動することによってスロットルケーブル１２０を引っ張ってスロットルバルブＴＨＶの開度を増加させるように構成されている。
【００２７】
具体的には、本実施形態において、ケーブル引張部材１４０は、一端側（図４における下端側）がスロットルレバー１３０の近傍において調整機構１５０のアーム部材１５２に設けられた支持ピン１５２ａ（後述する）に回動自在に支持されており、ケーブル引張部材１４０の他端側（図４における上端側）にスロットルケーブル１２０の他端１２０ａが固定されている。また、ケーブル引張部材１４０のほぼ中央には、スロットルレバー１３０の操作力伝達部１３２に形成された凹部１３３に収容されるピン部材（突起部）１４１が設けられている（図５、図６参照）。
【００２８】
ケーブル引張部材１４０は、使用者がスロットルレバー１３０を操作してその操作力が凹部１３３の後側内周面１３４を介してピン部材１４１に伝達されると、すなわち、凹部１３３の後側内周面１３４によってピン部材１４１が押圧されると、基準位置から調整機構１５０のアーム部材１５２に設けられた支持ピン１５２ａ（の軸線）回りに前方に回動し、これによって、スロットルケーブル１２０を引っ張るように構成されている。なお、前記基準位置とは、スロットルレバー１３０が操作されていないとき（スロットルレバー１３０が前記初期位置にあるとき）のケーブル引張部材１４０の位置をいう。
【００２９】
調整機構１５０は、スロットルレバー１３０が所定の操作位置に操作されたときのケーブル引張部材１４０の前記基準位置からの回動量（以下、単に「ケーブル引張部材１４０の回動量」という）を変化させ、これによって、スロットルレバー１３０が前記所定の操作位置に回動操作されたときのケーブル引張部材１４０によるスロットルケーブル１２０の引っ張り量Ｐを調整するように構成されている。なお、前記所定の操作位置とは、使用者がスロットルレバー１３０の操作部１３１をグリップ部６と一緒に右手で把持したときに操作されるスロットルレバー１３０の位置であり、ここでは、操作部１３１がグリップ部６の下部に当接する前記最大操作位置のことをいう。
【００３０】
本実施形態において、調整機構１５０は、操作レバー１５１と、アーム部材１５２と、連結部材１５３と、を含む（図４参照）。
【００３１】
操作レバー１５１は、一端（下端）がハウジング１１０内に設けられた第２軸部１１２に回動自在に支持されている（図６参照）。第２軸部１１２は、第１軸部１１１の斜め後上方に配置されており、第１軸部１１１と同様に、例えば左側ハウジング部材１１０ａの内壁に立設されている。操作レバー１５１は、第２軸部１１２に回動自在に支持された前記一端から操作棹２を避けるように湾曲して上方に延びて、ハウジング１１０の上部に形成された開口１１０ｃを介して他端（上端）が外側に突出している。そして、ハウジング１１０の上部から突出した操作レバー１５１の前記他端（上端）に操作部１５１ａが取り付けられている（図３〜図５参照）。操作レバー１５１は、主に使用者がグリップ部６（及びスロットルレバー１３０）を把持した右手の親指で操作部１５１ａを開口１１０ｃに沿って前後方向に移動させることによって、第２軸部１１２（の軸線）回りに回動するように構成されている。
【００３２】
また、操作レバー１５１は、ハウジング１１０に形成されたガイド溝１０２内を摺動移動するスライド部１５１ｂを有している。本実施形態において、操作レバー１５１は、主にガイド溝１０２とスライド部１５１ｂとの摺動抵抗によって任意の操作位置（回動位置）で保持されるように構成されている（図６参照）。但し、操作レバー１５１が任意の操作位置（回動位置）で保持されるように構成されていればよく、操作レバー１５１を任意の操作位置（回動位置）で保持するための種々の構成が採用され得る。
【００３３】
アーム部材１５２は、一端が第２軸部１１２に回動自在に支持されている。また、アーム部材１５２の他端側には、ケーブル引張部材１４０を回動自在に支持する支持部としての支持ピン１５２ａが設けられている。
【００３４】
連結部材１５３は、操作レバー１５１とアーム部材１５２とを連結すると共に操作レバー１５１に対してアーム部材１５２を所定の姿勢に付勢する。具体的には、連結部材１５３は、操作レバー１５１とアーム部材１５２とを連結すると共に両者に相対的な回動力（付勢力）を付与して操作レバー１５１に対してアーム部材１５２を前記所定の姿勢に保持する。本実施形態において、連結部材１５３は、ねじりコイルバネで構成されている。連結部材１５３としてのねじりコイルバネは、第２軸部１１２に装着されており、一方の延出端部が操作レバー１５１に取り付けられると共に、他方の延出端部がアーム部材１５２に取り付けられている。そして、連結部材１５３によって付与される回動力によってアーム部材１５２が第２軸部１１２（の軸線）回りに回動して操作レバー１５１の所定部位に当接することでアーム部材１５２が前記所定の姿勢に保持される。なお、本実施形態において、操作レバー１５１、アーム部材１５２及び連結部材１５３は、第２軸部１１２に回動自在に支持された略Ｌ字状の連結体を構成している。
【００３５】
調整機構１５０において、アーム部材１５２は、基本的には、操作レバー１５１に対する姿勢が前記所定の姿勢のままで操作レバー１５１と一体的に第２軸部１１２（の軸線）回りに回動する。但し、連結部材１５３から付与される回動力（付勢力）に抗する力がアーム部材１５２に作用すると、すなわち、アーム部材１５２が連結部材１５３の付勢力に抗して押圧されると、アーム部材１５２は、操作レバー１５１に対して第２軸部１１２（の軸線）回りに相対回動し、操作レバー１５１に対する姿勢が前記所定の姿勢から変化する。
【００３６】
使用者が操作部１５１ａを前方向又は後方向に移動させることによって操作レバー１５１を回動操作すると、すなわち、操作レバー１５１が第２軸部１１２（の軸線）回りに回動すると、アーム部材１５２は、前記所定の姿勢に保持された状態で操作レバー１５１と一体的に第２軸部１１２（の軸線）回りを回動する。すると、ケーブル引張部材１４０を回動自在に支持する支持部としての支持ピン１５２ａが変位し、これに伴ってケーブル引張部材１４０も変位する。このため、スロットルレバー１３０の凹部１３３内におけるケーブル引張部材１４０のピン部材１４１の位置が変化し、スロットルレバー１３０が回動操作されたときにピン部材１４１を押圧する凹部１３３の後側内周面１３４の部位（押圧部位）が変化する。この結果、スロットルレバー１３０が前記所定の操作位置に回動操作されたときのケーブル引張部材１４０の回動量が変化し、スロットルレバー１３０が前記所定の操作位置に回動操作されたときのケーブル引張部材１４０によるスロットルケーブル１２０の引っ張り量Ｐが変化するようになっている。
【００３７】
具体的には、使用者が操作レバー１５１の操作部１５１ａを前記操作範囲の最も前側の第１位置（グリップ部６から最も離れた位置であり、図３−図６に示された位置）に移動させると、アーム部材１５２に設けられた支持ピン１５２ａ及びこれに回動自在に支持されたケーブル引張部材１４０のそれぞれは、その変位範囲内の最も低い位置に位置する。この場合、図７（Ａ）に示されるように、ケーブル引張部材１４０に設けられたピン部材１４１は、スロットルレバー１３０の凹部１３３内における下部であって、かつ、スロットルレバー１３０が回動操作されたときに凹部１３３の後側内周面１３４によって押圧されない位置（後側内周面１３４から離れた位置）に位置する。したがって、操作レバー１５１の操作部１５１ａを前記操作範囲の前記第１位置にある場合、スロットルレバー１３０が前記所定の操作位置に回動操作されたときのケーブル引張部材１４０の回動量及びケーブル引張部材１４０によるスロットルケーブル１２０の引っ張り量Ｐは「０」になる。但し、これに限られるものではなく、スロットルレバー１３０が前記所定の操作位置に回動操作されたときに、ケーブル引張部材１４０が僅かに回動する（スロットルケーブル１２０を僅かに引っ張る）ように構成されてもよい。
【００３８】
また、使用者が操作レバー１５１の操作部１５１ａをその操作範囲の最も後側の第２位置（グリップ部６に最も近い位置）に移動させると、アーム部材１５２に設けられた支持ピン１５２ａ及びこれに回動自在に支持されたケーブル引張部材１４０のそれぞれは、その変位範囲内の最も高い位置に位置する。この場合、図７（Ｂ）に示されるように、ケーブル引張部材１４０に設けられたピン部材１４１は、スロットルレバー１３０の凹部１３３内における上部であって、かつ、凹部１３３の後側内周面１３４の上側領域１３４ａに接触する位置又は近接した位置に位置する。したがって、スロットルレバー１３０が回動操作されると、凹部１３３の後側内周面１３４の上側領域１３４ａが速やかにケーブル引張部材１４０のピン部材１４１を押圧し、これによって、ケーブル引張部材１４０が支持ピン１５２ａ（の軸線）回りに回動する。このため、スロットルレバー１３０が前記所定の操作位置に回動操作されたときのケーブル引張部材１４０の回動量が大きく、ケーブル引張部材１４０によるスロットルケーブル１２０の引っ張り量Ｐも大きくなる。
【００３９】
なお、使用者が操作レバー１５１の操作部１５１ａを前記操作範囲の中間位置（前記第１位置と前記第２位置との間の位置）に移動させると、アーム部材１５２に設けられた支持ピン１５２ａ及びこれに回動自在に支持されたケーブル引張部材１４０のそれぞれは、その変位範囲内の中間位置に位置する。この場合、図７（Ｃ）に示されるように、ケーブル引張部材１４０に設けられたピン部材１４１は、スロットルレバー１３０の凹部１３３内の中間位置であって、かつ、凹部１３３の後側内周面１３４の中間領域１３４ｂから少し離れた位置に位置する。したがって、スロットルレバー１３０が回動操作されると、凹部１３３の後側内周面１３４の中間領域１３４ｂがケーブル引張部材１４０のピン部材１４１に当接してこれを押圧する。このため、スロットルレバー１３０が前記所定の操作位置に回動操作されたときのケーブル引張部材１４０の回動量及びケーブル引張部材１４０によるスロットルケーブル１２０の引っ張り量Ｐは、操作レバー１５１の操作部１５１ａが前記第１位置にある場合（図７（Ａ））のそれらよりも大きく、操作レバー１５１の操作部１５１ａが前記第２位置にある場合（図７（Ｂ））のそれらよりも小さくなる。
【００４０】
ここで、上述のように、凹部１３３の後側内周面１３４は、凹部１３３の上部から下部に向かって従って後方に傾斜して形成されている。このため、本実施形態においては、操作レバー１５１の操作部１５１ａがグリップ部６に最も近い前記第２位置から離れた位置に操作されるほど（すなわち、前記第１位置に近づくほど）、ケーブル引張部材１４０に設けられたピン部材１４１は、スロットルレバー１３０の凹部１３３内において、後側内周面１３４から離れた位置に位置し、スロットルレバー１３０が前記所定の操作位置に回動操作されたときのケーブル引張部材１４０の回動量及びケーブル引張部材１４０によるスロットルケーブル１２０の引っ張り量Ｐが小さくなる。
【００４１】
換言すれば、本実施形態においては、調整機構１５０の操作レバー１５１の操作部１５１ａが前記第２位置にあり（図７（Ｂ））、かつ、スロットルレバー１３０が前記最大操作位置に回動操作されたときにケーブル引張部材１４０の回動量が最大となり、ケーブル引張部材１４０によるスロットルケーブル１２０の引っ張り量Ｐも最大（最大引っ張り量Ｐｍａｘ）となる。一方、調整機構１５０の操作レバー１５１の操作部１５１ａが前記第２位置以外の位置にあるときには（図７（Ａ）、図７（ｃ））、調整機構１５０によって、スロットルレバー１３０が前記最大操作位置に回動操作されたときのスロットルケーブル１２０の引っ張り量Ｐが前記最大引っ張り量Ｐｍａｘ未満に制限されることになる（引っ張り量Ｐが０の場合を含む）。
【００４２】
サブレバー１６０は、スロットルレバー１３０と同様に操作棹２の下側に設けられており、スロットルレバー１３０と左右方向に並んで配置されている。サブレバー１６０は、ハウジング１１０内に設けられた第３軸部１１３に回動自在に支持されている。第３軸部１１３は、例えば右側ハウジング部材１１０ｂの内壁に立設されている。なお、第３軸部１１３は、第１軸部１１１及び第２軸部１１２と同様に、左側ハウジング部材１１０ａの内壁に立設されてもよい。
【００４３】
サブレバー１６０は、スロットルレバー１３０と同様、スロットルケーブル１２０を引っ張るために使用者によって回動操作される。具体的には、サブレバー１６０は、主に、調整機構１５０の操作レバー１５１の操作部１５１ａが前記第２位置以外の位置あり、かつ、スロットルレバー１３０が前記最大操作位置に回動操作されているとき、すなわち、スロットルレバー１３０が前記最大操作位置に回動操作され、かつ、スロットルレバー１３０が前記最大操作位置に回動操作されたときのケーブル引張部材１４０によるスロットルケーブル１２０の引っ張り量Ｐが調整機構１５０によって前記最大引っ張り量Ｐｍａｘ未満に制限されているときに、スロットルケーブル１２０をさらに引っ張るために使用者によって回動操作される。
【００４４】
本実施形態において、サブレバー１６０は、操作部１６１と、押圧部１６２と、を有する。
【００４５】
操作部１６１は、使用者がグリップ部６を把持する右手の指（主に人差し指）で操作する部位である。操作部１６１は、ハウジング１１０から突出してグリップ部６の下側を後方に向かって延びている。サブレバー１６０は、図４及び図６に示される初期位置から操作部１６１がハウジング１１０の外面（又はグリップ部６の下部）に当接する最大操作位置まで回動操作されるように構成されている。
【００４６】
ここで、本実施形態において、スロットルレバー１３０の操作部１３１は、上述のように、主に使用者がグリップ部６と一緒に右手で把持する部位である。このため、スロットルレバー１３０の操作部１３１は、グリップ部６のほぼ真下に配置され、かつ、ハウジング１１０からの突出量が比較的大きくなっている。一方、サブレバー１６０の操作部１６１は、専ら使用者がグリップ部６を把持する右手の指（主に人差し指）で操作する部位である。このため、サブレバー１６０の操作部１６１は、スロットルレバー１３０の操作部１３１の右側に配置され、かつ、ハウジング１１０からの突出量がスロットルレバー１３０の操作部１３１よりも小さくなっている。また、本実施形態において、サブレバー１６０の操作部１６１は、グリップ部６の右斜め前下方となる位置に、使用者が右手の指（主に人差し指）を引っ掛けるフック部１６１ａを有している（図４参照）。
【００４７】
押圧部１６２は、使用者がサブレバー１６０を回動操作したときに、調整機構１５０のアーム部材１５２を連結部材１５３の前記付勢力に抗して押圧する部位である。換言すれば、押圧部１６２は、使用者のサブレバー１６０の操作力を連結部材１５３の付勢力に抗する力としてアーム部材１５２に作用させる。
【００４８】
具体的には、サブレバー１６０は、使用者が操作部１６１を操作することによって前記第３軸部（の軸線）回りに回動し、押圧部１６２がアーム部材１５２に当接してこれを押圧することによってアーム部材１５２を操作レバー１５１に対して第２軸部１１２（の軸線）回りに相対回動させる。この結果、調整機構１５０において、操作レバー１５１に対するアーム部材１５２の姿勢が前記所定の姿勢から変化し、ケーブル引張部材１４０を回動自在に支持する支持ピン１５２ａも操作レバー１５１に対して相対変位する。そして、支持ピン１５２ａが変位すると、これに伴ってケーブル引張部材１４０が変位すると共にスロットルケーブル１２０を引っ張る方向に回動する（後述する）。
【００４９】
また、サブレバー１６０は、付勢部材（ねじりコイルバネ）１０３によって前記初期位置に常時付勢されている。付勢部材１０３としてのねじりコイルバネは、例えば、第３軸部１１３に装着され、一方の延出端部がハウジング１１０内の所定位置に固定されると共に、他方の延出端部がサブレバー１６０に取り付けられる。したがって、サブレバー１６０は、スロットルレバー１３０と同様、使用者がサブレバー１６０を解放すると、前記初期位置に戻るようになっている。
【００５０】
以上のようなスロットル操作装置１００を備えた刈払機１では、エンジン３１の始動後においてスロットルレバー１３０が操作されていない状態、すなわち、スロットルレバー１３０が前記初期位置にある状態では、スロットルバルブＴＨＶの開度は前記最小開度（前記アイドル回転開度）となり、エンジン３１はアイドル運転を行う（アイドル回転数を維持する）。
【００５１】
刈払機１を用いて刈払い作業を行う場合、使用者は、左手でハンドル部５を把持し、右手でグリップ部６とスロットルレバー１３０の操作部１３１とを把持する。すなわち、使用者は、通常、スロットルレバー１３０を前記最大操作位置に回動操作した状態で刈払い作業を行う。また、使用者は、グリップ部６とスロットルレバー１３０とを把持した状態において、調整機構１５０の操作レバー１５１の操作部１５１ａを操作することによってエンジン３１の出力（回転数）を調整することができる。さらに、使用者は、グリップ部６とスロットルレバー１３０とを把持した状態において、サブレバー１６０を回動操作することによってエンジン３１の出力（回転数）を一時的に増大させることができる。
【００５２】
以下、図８〜図１２を参照して使用者によるスロットル操作装置１００の操作例を説明する。なお、図８〜図１２では、理解容易のため、本来は破線で示されるスロットルレバー１３０の凹部１３３及びケーブル引張部材１４０のピン部材１４１などが実線で示されている。また、スロットルレバー１３０が前記初期位置にあるときのアウターチューブ１２１の端部からケーブル引張部材１４０におけるスロットルケーブル１２０の他端１２０ａの固定部までの距離Ｌ０は、調整機構１５０の操作レバー１５１の操作部１５１ａの操作位置にかかわらず、ほぼ同じである。
【００５３】
［スロットルレバー１３０の操作］
図８は、調整機構１５０の操作レバー１５１の操作部１５１ａが前記操作範囲の最も前側の前記第１位置にあり、かつ、スロットルレバー１３０の操作部１３１がグリップ部６と一緒に把持された状態（スロットルレバー１３０が前記最大操作位置に回動操作された状態）を示している。
【００５４】
調整機構１５０の操作レバー１５１の操作部１５１ａが前記第１位置にある場合、上述のように、ケーブル引張部材１４０は、その変位範囲の最も低い位置に位置し、ケーブル引張部材１４０に設けられたピン部材１４１は、スロットルレバー１３０の凹部１３３の後側内周面１３４によって押圧されない位置に位置する（図７（Ａ）参照）。このため、図８に示されるように、使用者がグリップ部６とスロットルレバー１３０の操作部１３１とを把持することによってスロットルレバー１３０を前記最大操作位置に回動操作してもケーブル引張部材１４０は回動しない。したがって、この場合においては、スロットルレバー１３０が前記最大操作位置に回動操作されたときのケーブル引張部材１４０によるスロットルケーブル１２０の引っ張り量Ｐは「０」になる。
【００５５】
図９は、調整機構１５０の操作レバー１５１の操作部１５１ａが前記操作範囲の最も後側の前記第２位置にあり、かつ、スロットルレバー１３０の操作部１３１がグリップ部６と一緒に把持された状態を示している。
【００５６】
調整機構１５０の操作レバー１５１の操作部１５１ａが前記第２位置にある場合、上述のように、ケーブル引張部材１４０は、その変位範囲の最も高い位置に位置し、ケーブル引張部材１４０に設けられたピン部材１４１は、スロットルレバー１３０の凹部１３３の後側内周面１３４の上側領域１３４ａに接触する位置又は近接した位置に位置する（図７（Ｂ）参照）。このため、図９に示されるように、使用者がグリップ部６とスロットルレバー１３０の操作部１３１とを把持することによってスロットルレバー１３０を前記最大操作位置に回動操作すると、凹部１３３の後側内周面１３４の上側領域１３４ａがケーブル引張部材１４０のピン部材１４１を押圧してケーブル引張部材１４０が支持ピン１５２ａ（の軸線）を中心に前方（すなわち、スロットルケーブル１２０を引っ張る方向）に最大に回動する。したがって、この場合においては、スロットルレバー１３０が前記最大操作位置に回動操作されたときのケーブル引張部材１４０によるスロットルケーブル１２０の引っ張り量Ｐは、最大引っ張り量Ｐｍａｘ（＝Ｌ１−Ｌ０）になる。
【００５７】
調整機構１５０の操作レバー１５１の操作部１５１ａが前記操作範囲の前記第２位置にある場合、使用者は、スロットルレバー１３０の操作部１３１をグリップ部６と一緒に把持することにより、スロットルバルブＴＨＶの開度を最大とし、エンジン３１を高出力（高速回転）で運転させて刈払い作業を行うことができる。また、使用者は、スロットルレバー１３０の回動操作量を調整することによってケーブル引張部材１４０によるスロットルケーブル１２０の引っ張り量Ｐを０〜最大引っ張り量Ｐｍａｘの間で調整することができ、エンジン３１を低出力から高出力の間の任意に出力で運転させて刈払い作業を行うことも可能である。
【００５８】
図１０は、調整機構１５０の操作レバー１５１の操作部１５１ａが前記操作範囲の前記中間位置にあり、かつ、スロットルレバー１３０の操作部１３１がグリップ部６と一緒に把持された状態を示している。
【００５９】
調整機構１５０の操作レバー１５１の操作部１５１ａが前記操作範囲の前記中間位置にある場合、上述のように、ケーブル引張部材１４０は、その変位範囲の中間位置に位置し、ケーブル引張部材１４０に設けられたピン部材１４１は、スロットルレバー１３０の凹部１３３の後側内周面１３４の中間領域１３４ｂから少し離れた位置に位置する（図７（Ｃ））。このため、図１０に示されるように、使用者がグリップ部６とスロットルレバー１３０の操作部１３１とを把持することによってスロットルレバー１３０を前記最大操作位置に回動操作すると、凹部１３３の後側内周面１３４の中間領域１３４ｂがケーブル引張部材１４０のピン部材１４１に当接してこれを押圧してケーブル引張部材１４０が支持ピン１５２ａ（の軸線）を中心に前方に回動する。したがって、この場合においては、スロットルレバー１３０が前記最大操作位置に回動操作されたときのケーブル引張部材１４０によるスロットルケーブル１２０の引っ張り量Ｐは、Ｐ１（＝Ｌ２−Ｌ０＜Ｐｍａｘ）になる。
【００６０】
調整機構１５０の操作レバー１５１の操作部１５１ａが前記操作範囲の前記中間位置にある場合、使用者は、スロットルレバー１３０の操作部１３１をグリップ部６と一緒に把持することにより、エンジン３１を低・中出力（低速・中速回転）で運転させて刈払い作業を行うことができる。また、使用者は、スロットルレバー１３０の回動操作量を調整することによってスロットルケーブル１２０の引っ張り量Ｐを０〜Ｐ１の間で調整することができ、エンジン３１を低出力から中出力の間の任意に出力で運転させて刈払い作業を行うことも可能である。
【００６１】
［調整機構１５０の操作］
使用者は、グリップ部６とスロットルレバー１３０とを把持した状態において、調整機構１５０の操作レバー１５１の操作部１５１ａを前側に（前記第１位置に向かって）移動させることによってケーブル引張部材１４０によるスロットルケーブル１２０の引っ張り量Ｐ（すなわち、スロットルバルブＴＨＶの開度）を減少させてエンジン３１の出力（回転数）を減少させることができる。
【００６２】
例えば、図１０に示された状態、すなわち、調整機構１５０の操作レバー１５１の操作部１５１ａが前記操作範囲の前記中間位置にあり、かつ、スロットルレバー１３０の操作部１３１がグリップ部６と一緒に把持された状態において、使用者は、調整機構１５０の操作レバー１５１の操作部１５１ａを前記操作範囲の最も前側の前記第１位置に移動させる（図１０→図８）。すると、操作レバー１５１とアーム部材１５２とが一体的に第２軸部１１２（の軸線）を中心に前方に回動して支持ピン１５２ａが下方に変位する。支持ピン１５２ａが下方に変位すると、これに伴ってケーブル引張部材１４０も下方も変位しようとする。ここで、ケーブル引張部材１４０には、スロットルバルブＴＨＶを閉方向に付勢する付勢力がスロットルケーブル１２０を介して作用しており、ケーブル引張部材１４０のピン部材１４１を収容する凹部１３３の後側内周面１３４は、凹部１３３の上部から下部に向かって従って後方に傾斜して形成されている。このため、ケーブル引張部材１４０は、支持ピン１５２ａと共に下方に変位すると共にピン部材１４１が凹部１３３の後側内周面１３４に当接するまで支持ピン１５２ａ（の軸線）を中心に後方に回動する。すなわち、ケーブル引張部材１４０は、ピン部材１４１が凹部１３３の後側内周面１３４に沿って（換言すれば、後側内周面１３４に接触しながら）移動するように下方に変位することによって支持ピン１５２ａ（の軸線）を中心にスロットルケーブル１２０の引っ張りを緩める方向に回動する。換言すれば、ケーブル引張部材１４０は、下方に変位する際に、スロットルバルブＴＨＶを閉方向に付勢する付勢力及びスロットルレバー１３０の凹部１３３の後側内周面１３４を利用してスロットルケーブル１２０の引っ張りを緩める方向に回動する。これにより、ケーブル引張部材１４０の回動量が０になり、ケーブル引張部材１４０によるスロットルケーブル１２０の引っ張り量ＰがＰ１（＝Ｌ２−Ｌ０）から０に減少する。すなわち、スロットルレバー１３０が前記最大操作位置に回動操作されたときのケーブル引張部材１４０によるスロットルケーブル１２０の引っ張り量Ｐが減少してエンジン３１の出力（回転数）が減少する。
【００６３】
なお、図９に示された状態、すなわち、調整機構１５０の操作レバー１５１の操作部１５１ａが前記操作範囲の最も後側の前記第２位置にあり、かつ、スロットルレバー１３０の操作部１３１がグリップ部６と一緒に把持された状態において、使用者が調整機構１５０の操作レバー１５１の操作部１５１ａを前記中間位置に移動させた場合には、スロットルレバー１３０が前記最大操作位置に回動操作されたときのケーブル引張部材１４０によるスロットルケーブル１２０の引っ張り量Ｐは最大引っ張り量Ｐｍａｘ（＝Ｌ１−Ｌ０）からＰ１（＝Ｌ２−Ｌ０）に減少する（図９→図１０）。また、図９に示された状態において、使用者が調整機構１５０の操作レバー１５１の操作部１５１ａを前記第１位置に移動させた場合には、スロットルレバー１３０が前記最大操作位置に回動操作されたときのケーブル引張部材１４０によるスロットルケーブル１２０の引っ張り量Ｐは最大引っ張り量Ｐｍａｘから０に減少する（図９→図８）。
【００６４】
使用者は、グリップ部６とスロットルレバー１３０とを把持した状態において、調整機構１５０の操作レバー１５１の操作部１５１ａを後側に（前記第２位置に向かって）移動させることによってケーブル引張部材１４０によるスロットルケーブル１２０の引っ張り量Ｐ（すなわち、スロットルバルブＴＨＶの開度）を増加させてエンジン３１の出力（回転数）を増加させることができる。
【００６５】
例えば、図１０に示された状態において、使用者は、調整機構１５０の操作レバー１５１の操作部１５１ａを前記第２位置に移動させる（図１０→図９）。すると、操作レバー１５１とアーム部材１５２とが一体的に第２軸部１１２（の軸線）を中心に後方に回動して支持ピン１５２ａが上方に変位する。支持ピン１５２ａが上方に変位すると、これに伴ってケーブル引張部材１４０も上方に変位しようとする。ここで、上述のように、ケーブル引張部材１４０には、スロットルバルブＴＨＶを閉方向に付勢する付勢力がスロットルケーブル１２０を介して作用しており、凹部１３３の後側内周面１３４は、凹部１３３の上部から下部に向かって従って後方に傾斜して形成されている。このため、ケーブル引張部材１４０の上方への変位は、ピン部材１４１が凹部１３３の後側内周面１３４に沿って（換言すれば、後側内周面１３４に接触しながら）移動するように規制され、ケーブル引張部材１４０は、支持ピン１５２ａと共に上方に移動すると共に凹部１３３の後側内周面１３４によって押圧されて支持ピン１５２ａ（の軸線）を中心に前方に回動する。すなわち、ケーブル引張部材１４０は、ピン部材１４１が凹部１３３の後側内周面１３４に沿って（後側内周面１３４に接触しながら）移動するように上方に変位することによって支持ピン１５２ａ（の軸線）を中心にスロットルケーブル１２０の引っ張る方向に回動する。換言すれば、ケーブル引張部材１４０は、上方に変位する際に、スロットルバルブＴＨＶを閉方向に付勢する付勢力及びスロットルレバー１３０の凹部１３３の後側内周面１３４を利用してスロットルケーブル１２０の引っ張る方向に回動する。これにより、ケーブル引張部材１４０の回動量が最大となり、ケーブル引張部材１４０によるスロットルケーブル１２０の引っ張り量ＰはＰ１（＝Ｌ２−Ｌ０）から最大引っ張り量Ｐｍａｘ（＝Ｌ１−Ｌ０）に増加する。すなわち、スロットルレバー１３０が前記最大操作位置に回動操作されたときのケーブル引張部材１４０によるスロットルケーブル１２０の引っ張り量Ｐが増加してエンジン３１の出力（回転数）が増加する。
【００６６】
なお、図８に示された状態において、使用者が調整機構１５０の操作レバー１５１の操作部１５１ａを前記中間位置に移動させた場合には、スロットルレバー１３０が前記最大操作位置に回動操作されたときのケーブル引張部材１４０によるスロットルケーブル１２０の引っ張り量Ｐは０からＰ１（＝Ｌ２−Ｌ０）に増加する（図８→図１０）。また、図８に示された状態において、使用者が調整機構１５０の操作レバー１５１の操作部１５１ａを前記第２移動させた場合には、スロットルレバー１３０が前記最大操作位置に回動操作されたときのケーブル引張部材１４０によるスロットルケーブル１２０の引っ張り量Ｐは０からＰｍａｘ（＝Ｌ１−Ｌ０）に増加する（図８→図９）。
【００６７】
［サブレバー１６０の操作］
使用者は、調整機構１５０の操作レバー１５１の操作部１５１ａが前記第２位置以外の位置あり、かつ、グリップ部６とスロットルレバー１３０とを把持しているときにサブレバー１６０を回動操作することによって、エンジン３１の出力を一時的に増大させることができる。
【００６８】
例えば、図１０に示された状態、すなわち、エンジン３１を低・中出力（低速・高速回転）で運転させている状態において、使用者は、サブレバー１６０を前記最大操作位置まで回動操作する。すると、図１１に示されるように、サブレバー１６０の押圧部１６２が調整機構１５０のアーム部材１５２を押圧して、アーム部材１５２が第２軸部１１２（の軸線）回りに後方に回動して操作レバー１５１に対するアーム部材１５２の姿勢が前記所定の姿勢から変化する。つまり、操作レバー１５１はそのままの状態で支持ピン１５２ａが上方に変位する（支持ピン１５２ａが操作レバー１５１に対して相対変位する）。支持ピン１５２ａが上方に変位すると、これに伴ってケーブル引張部材１４０も上方に変位しようとする。上述のように、ケーブル引張部材１４０の上方への変位は、ピン部材１４１が凹部１３３の後側内周面１３４に沿って（後側内周面１３４に接触しながら）移動するように規制される。したがって、ケーブル引張部材１４０は、ピン部材１４１が凹部１３３の後側内周面１３４に沿って（後側内周面１３４に接触しながら）移動するように上方に変位することによって支持ピン１５２ａ（の軸線）を中心にスロットルケーブル１２０の引っ張る方向に回動する（図１０→図１１）。すなわち、ケーブル引張部材１４０は、
上方に変位する際に、スロットルバルブＴＨＶを閉方向に付勢する付勢力及びスロットルレバー１３０の凹部１３３の後側内周面１３４を利用してスロットルケーブル１２０の引っ張る方向に回動する。この結果、ケーブル引張部材１４０によるスロットルケーブル１２０の引っ張り量ＰがＰ１（＝Ｌ２−Ｌ０）から最大引っ張り量Ｐｍａｘ（＝Ｌ１−Ｌ０）となって、エンジン３１の出力が増大する。
【００６９】
その後、使用者がサブレバー１６０を解放すると、サブレバー１６０は、前記付勢部材の付勢力によって前記初期位置に戻る。このため、サブレバー１６０の押圧部１６２によるアーム部材１５２への押圧がなくなり、スロットル操作装置１００は、速やかに図１０に示された状態に戻る。
【００７０】
したがって、使用者は、スロットルレバー１３０の操作部１３１をグリップ部６と一緒に把持することによって、エンジン３１を低・中出力（低速・中速回転）で運転させて刈払い作業を行っているときに、サブレバー１６０を回動操作することによってエンジン３１の出力を一時的に高めて作業を行うことができ、その後、サブレバー１６０を解放することによって、速やかに元の状態（すなわち、エンジン３１を低・中出力で運転させる状態）に戻すことができる。
【００７１】
なお、図１０に示された状態にあるとき、使用者は、サブレバー１６０の回動操作量を調整することによってスロットルケーブル１２０の引っ張り量ＰをＰ１〜Ｐｍａｘの間で調整すること、すなわち、エンジン３１の出力の増大量を調整することも可能である。
【００７２】
また、図示は省略するが、図８に示された状態においても、使用者は、サブレバー１６０を前記最大操作位置まで回動操作ことによって、ケーブル引張部材１４０によるスロットルケーブル１２０の引っ張り量Ｐを最大引っ張り量Ｐｍａｘとすることができる。
【００７３】
但し、図９に示された状態、すなわち、調整機構１５０の操作レバー１５１の操作部１５１ａが前記第２位置にあり、かつ、使用者がグリップ部６とスロットルレバー１３０の操作部１３１とを把持しているときは、ケーブル引張部材１４０よるスロットルケーブル１２０の引っ張り量Ｐが最大引っ張り量Ｐｍａｘになっている。このため、図９に示された状態においては、使用者がサブレバー１６０を回動操作しても、図１２に示されるように、サブレバー１６０の押圧部１６２は、調整機構１５０のアーム部材１５２を押圧しない（すなわち、ケーブル引張部材１４０によるスロットルケーブル１２０の引っ張り量Ｐは変化しない）。
【００７４】
以上のように、本実施形態に係る刈払機１のスロットル操作装置１００は、一端がエンジン３１のスロットルバルブＴＨＶに連結されたスロットルケーブル１２０と、第１軸部１１１に回動自在に支持されて使用者によって操作されるスロットルレバー１３０と、回動自在に設けられると共にスロットルケーブル１２０の他端が固定され、スロットルレバー１３０に連動して回動することによってスロットルケーブル１２０を引っ張ってスロットルバルブＴＨＶの開度を増加させるように構成されたケーブル引張部材１４０と、スロットルレバー１３０が所定の操作位置に回動操作されたときのケーブル引張部材１４０の回動量を変化させてスロットルレバー１３０が所定の操作位置に回動操作されたときのケーブル引張部材１４０によるスロットルケーブル１２０の引っ張り量を調整する調整機構１５０と、第３軸部１１３に回動自在に支持されて使用者によって操作されるサブレバー１６０と、を含む。
【００７５】
ケーブル引張部材１４０は、スロットルレバー１３０に形成された凹部１３３に収容されるピン部材（突起部）１４１を有する。ケーブル引張部材１４０は、使用者によってスロットルレバー１３０が回動操作されると、ピン部材１４１がスロットルレバー１３０の凹部１３３の内周面（後側内周面１３４）の所定部位に押圧されることによってスロットルケーブル１２０を引っ張る方向に回動する。
【００７６】
調整機構１５０は、第２軸部１１２に回動自在に支持されて使用者によって操作されると共に任意の操作位置で保持される操作レバー１５１と、一端が第２軸部１１２の回動自在に支持されていると共に他端側にケーブル引張部材１４０を回動自在に支持する支持ピン１５２ａを有するアーム部材１５２と、操作レバー１５１とアーム部材１５２とを連結すると共に操作レバー１５１に対してアーム部材１５２を所定の姿勢に付勢する連結部材１５３と、を含む。そして、調整機構１５０は、使用者によって操作部１５１ａを介して操作レバー１５１が回動操作されると、アーム部材１５２が前記所定の姿勢のままで操作レバー１５１と一体的に回動して支持ピン１５２ａ（すなわち、ケーブル引張部材１４０の支持部）が変位するように構成されている。支持ピン１５２ａが変位するとケーブル引張部材１４０も変位し、これによって、ケーブル引張部材１４０のピン部材１４１を押圧する凹部１３３の内周面（後側内周面１３４）の押圧部位が変更される。この結果、スロットルレバー１３０が前記所定の操作位置に操作されたときのケーブル引張部材１４０の回動量が変化してスロットルレバー１３０が前記所定の操作位置に操作されたときのケーブル引張部材１４０によるスロットルケーブル１２０の引っ張り量Ｐが変化する。調整機構１５０は、このようにして、スロットルレバー１３０が前記所定の操作位置に操作されたときのケーブル引張部材１４０によるスロットルケーブル１２０の引っ張り量Ｐを調整する。
【００７７】
また、調整機構１５０は、スロットルレバー１３０が前記所定の操作位置に操作されているときに操作レバー１５１が使用者によって操作されると、支持ピン１５２ａが変位することによってケーブル引張部材１４０を変位させると共にスロットルレバー１３０の凹部１３３の後側内周面１３４を利用してケーブル引張部材１４０を回動させてスロットルレバー１３０が前記所定の操作位置に操作されたときのケーブル引張部材１４０によるスロットルケーブル１２０の引っ張り量Ｐを変化させる（増減する）。
【００７８】
サブレバー１６０は、主にスロットルレバー１３０が前記所定の操作位置に操作され、かつ、スロットルレバー１３０が前記所定の操作位置に操作されたときのケーブル引張部材１４０によるスロットルケーブル１２０の引っ張り量が調整機構１５０によって制限されているときに、使用者によって操作される。サブレバー１６０が使用者によって操作されると、サブレバー１６０の押圧部１６２が連結部材１５３の付勢力に抗してアーム部材１５２を押圧して支持ピン１５２ａを操作レバー１５１に対して相対変位させる。これにより、サブレバー１６０は、ケーブル引張部材１４０を変位させると共にスロットルレバー１３０の凹部１３３の後側内周面１３４を利用してスロットルケーブル１２０を引っ張る方向にケーブル引張部材１４０を回動させる。すなわち、スロットルバルブＴＨＶの開度を増加してエンジン３１の出力を増大させる。また、サブレバー１６０は、使用者が操作を止めて解放されると前記初期位置に戻り、押圧部１６２によるアーム部材１５２の押圧も解除され、ケーブル引張部材１４０は、サブレバー１６０が操作される前の状態に戻る。サブレバー１６０は、このようにしてエンジン３１の出力を一時的に増大させる。
【００７９】
したがって、使用者は、スロットルレバー１３０の操作部１３１をグリップ部６と共に把持してエンジン３１を低出力や中出力で運転させて作業を行っているときに、サブレバー１６０を操作することによって一時的にエンジン３１の出力を高めて作業を行うことができ、また、サブレバー１６０の操作を解除することで、サブレバー１６０を操作する直前の状態での作業に戻ることができる。
【００８０】
以上、本発明の実施形態について説明したが、本発明は上述の実施形態に限定されるものではなく、本発明の技術的思想に基づいて更なる変形や変更が可能であることはもちろんである。
【００８１】
例えば、上述の実施形態では、携帯作業機としての刈払機１に本発明を適用した場合について説明したが、これに限られるものではなく、本発明は、エンジンを駆動源とする携帯型作業機に広く適用可能である。
【００８２】
また、上述の実施形態においては、サブレバー１６０を前記初期位置に常時付勢するための付勢部材が設けられているが、かかる付勢部材が省略されてもよい。この場合、使用者がサブレバー１６０の回動操作を解除すると、サブレバー１６０は、自重及び調整機構１５０の連結部材１５３の付勢力を利用して前記初期位置に戻ることになる。
【符号の説明】
【００８３】
１…刈払機、２…操作棹、３…動力ユニット、４…作業部、５…ハンドル部、６…グリップ部、３１…エンジン、１００…スロットル操作装置、１１１…第１軸部、１１２…第２軸部、１２０…スロットルケーブル、１３０…スロットルレバー、１４０…ケーブル引張部材、１４１…ピン部材（突起部）、１５０…調整機構、１５１…操作レバー（操作部材）、１５１ａ…操作部、１５２…アーム部材、１５２ａ…支持ピン（支持部）、１５３…連結部材、１６０…サブレバー、１６２…押圧部、ＴＨＶ…スロットルバルブ
【図１】
2019044696.tif 000003
【図２】
2019044696.tif 000004
【図３】
2019044696.tif 000005
【図４】
2019044696.tif 000006
【図５】
2019044696.tif 000007
【図６】
2019044696.tif 000008
【図７】
2019044696.tif 000009
【図８】
2019044696.tif 000010
【図９】
2019044696.tif 000011
【図１０】
2019044696.tif 000012
【図１１】
2019044696.tif 000013
【図１２】
2019044696.tif 000014